(57)【特許請求の範囲】
【請求項１】
器具本体と、器具本体に設けられランプが装着されるソケットと、器具本体に固定されて少なくともソケットを覆うソケットカバーと、を備え、ソケットカバーの器具本体への固定を行うための固定手段をソケットカバー及び器具本体に設けた照明器具において、固定手段による固定状態よりソケットカバーが下方に移動した状態でそれ以上の下方への移動を抑止してソケットカバーの落下を防止する落下防止手段を設けて成り、固定手段として、ソケットカバーの側面と、ソケットカバーを器具本体に固定した状態で前記ソケットカバーの側面が面する器具本体の側面とにそれぞれ互いに嵌合する凹部及び凸部のいずれかを設け、落下防止手段として、前記ソケットカバーの側面と器具本体の側面とにそれぞれ、固定手段による固定状態よりソケットカバーが下方に移動した状態で互いに係止する係止部及び被係止部を設けて成ることを特徴とする照明器具。
【発明の詳細な説明】
【技術分野】
【０００１】
本発明は、ランプが装着されるソケットを覆うソケットカバーを備えた照明器具に関するものである。
【背景技術】
【０００２】
従来より、図１８に示すようにランプ２が装着されるソケット３１を覆うソケットカバー４’を備えた照明器具としては、ソケットカバー４’の係合片を器具本体の被係合部に係合してソケットカバー４’を器具本体に取り付けるものがある（例えば特許文献１参照）。
【０００３】
この従来例においては、図１９に示すように、上方及び一側方に開口するソケットカバー４’の上端縁に引っ掛け爪を有する係合片４１’を突設してあり、器具本体の反射板１３に設けた孔１３ａに前記ソケットカバー４’の係合片４１’を下方より挿入して引っ掛け爪を孔１３ａの縁部に引っ掛けて係合することで、ソケットカバー４’を器具本体の反射板１３に固定するものである。
【特許文献１】特開平１１−３５３９２７号公報
【発明の開示】
【発明が解決しようとする課題】
【０００４】
ところで、上記従来例に示される照明器具にあっては、ソケットカバー４’の器具本体（この例では反射板１３）への固定が外れた場合、例えば、ソケットカバー４’の着脱のためにソケットカバー４’の係合片４１’と反射板１３の孔１３ａとの係合を外した場合や、ソケットカバー４’が反射板１３に固定されている状態で振動が生じて前記係合が外れた場合や、ソケットカバー４’の係合片４１’が劣化により変形して自然に前記係合が外れた場合等において、ソケットカバー４’の落下を防止することができる構造とはなっておらず、ソケットカバー４’が落下してしまうものであった。
【０００５】
本発明は上記従来の問題点に鑑みて発明したものであって、その目的とするところは、ソケットカバーの器具本体への固定が外れた状態でも、ソケットカバーが落下するのを防止することが可能な照明器具を提供することを課題とするものである。
【課題を解決するための手段】
【０００６】
上記課題を解決するために請求項１に係る発明にあっては、器具本体１と、器具本体１に設けられランプ２が装着されるソケット３１と、器具本体１に固定されて少なくともソケット３１を覆うソケットカバー４と、を備え、ソケットカバー４の器具本体１への固定を行うための固定手段５をソケットカバー４及び器具本体１に設けた照明器具において、固定手段５による固定状態よりソケットカバー４が下方に移動した状態でそれ以上の下方への移動を抑止してソケットカバー４の落下を防止する落下防止手段６を設けて成り、固定手段５として、ソケットカバー４の側面と、ソケットカバー４を器具本体１に固定した状態で前記ソケットカバー４の側面が面する器具本体１の側面とにそれぞれ互いに嵌合する凹部及び凸部のいずれかを設け、落下防止手段６として、前記ソケットカバー４の側面と器具本体１の側面とにそれぞれ、固定手段５による固定状態よりソケットカバー４が下方に移動した状態で互いに係止する係止部６１及び被係止部６２を設けて成ることを特徴とするものである。
【０００７】
このような構成とすることで、ソケットカバー４の器具本体１への固定を行うための固定手段５による固定が外れても、落下防止手段６によりソケットカバー４が下方に移動するのが抑止されて、ソケットカバー４の落下を防止することが可能となり、また簡単な構成で固定手段５と落下防止手段６とを設けることができるものである。
【発明の効果】
【００１８】
本発明にあっては、ソケットカバーの器具本体への固定が外れた状態でも、ソケットカバーが落下するのを防止することが可能となり、ソケットカバーの着脱のためにソケットカバー器具本体への固定を外す場合や、ソケットカバーが振動によりあるいは劣化等による変形により外れた場合でもソケットカバーが地面（床面）に落下して破損するのが防止される。
【発明を実施するための最良の形態】
【００１９】
以下、本発明について添付図面に基づいて説明する。まず、照明器具の基本的な構成について図１に基づいて説明する。
【００２０】
照明器具は、天井等に配設され、ランプ２として直管形の放電灯（蛍光灯）を点灯させるものであって、蛍光灯を点灯させるための磁気回路式の安定器（図示せず）と、安定器を収納した器具本体１と、器具本体１を閉塞するように器具本体１に取り付けられ放電灯の光を反射する反射板１３とを備える。器具本体１と反射板１３とは、それぞれ例えば塗装した鋼板からなる。
【００２１】
器具本体１は、左右に長く下面が開放された略直方体形状に形成されたケーシング１０と、ケーシング１０の長手方向の両端のそれぞれ下側に設けられる一対のランプ保持部３とを有する。ケーシング１０の長手方向に直交する断面での断面形状はコ字状になっている。ランプ保持部３には、それぞれ蛍光灯の口金が装着される蛍光灯用のソケット３１が設けられている。各ランプ保持部３には、それぞれランプ保持部３を覆うソケットカバー４が配置されて器具本体１に固定される。この器具本体１は、例えばケーシング１０を貫通して施工面に螺合するねじ（図示せず）によって施工面に固定される。
【００２２】
反射板１３は断面が下方に凹となる形状をした長尺の部材で、ランプ２の上面側を覆うようにランプ２の上側に配置され、長手方向の両端部が器具本体１のケーシング１０の短辺側の内側面１１（すなわちケーシング１０の長手方向の両端部に位置する内側面）にそれぞれ固定してある。
【００２３】
ソケットカバー４は、ソケット３１を覆う覆い部で主体が構成されるもので、図１に示す実施形態では、ソケット３１の下側に配置されてソケット３１の下面側を覆う下覆い部４１と、ソケット３１の側方すなわち器具本体１の中央側の側方を覆う側覆い部４２とからなる覆い部で主体が構成される。下覆い部４１は、平面視略矩形をした板状の部材からなり、ケーシング１０の長手方向の両端部のソケット３１を設けた部分の下端部においてケーシング１０の長辺側の内側面１２間に亘って配置される。側覆い部４２は、下覆い部４１の器具本体１の中央側の辺から上方に起立する板状の部材で、上端部が反射板１３の近傍に至ると共に、ランプ２が位置する部分にはランプ２を避ける切欠４２ａが形成してある。
【００２４】
以下、第一の実施形態〜第三の実施形態の固定手段５及び落下防止手段６について順に説明する。第一の実施形態〜第三の実施形態においては、固定手段５として、ソケットカバー４の側面と、ソケットカバー４を器具本体１に固定した状態で前記ソケットカバー４の側面が面する器具本体１の側面とにそれぞれ互いに嵌合する凹部及び凸部のいずれかを設け、落下防止手段６として、前記ソケットカバー４の側面と器具本体１の側面とにそれぞれ、固定手段５による固定状態よりソケットカバー４が下方に一定距離移動した状態で互いに係止する係止部６１及び被係止部６２を設けるものである。
【００２５】
まず本発明の第一の実施形態について図１及び図２に基づいて説明する。
【００２６】
ソケットカバー４の下覆い部４１のケーシング１０短手方向の両端側の辺から上方に起立して前記ケーシング１０の長辺側の内側面１２に面する板状の固定片４３を設ける。固定片４３は、外側の側面が器具本体１のケーシング１０へ固定手段５により固定した状態で、ケーシング１０の長辺側の内側面１２に面するものである。そして、固定片４３の外側の側面と、固定片４３の外側の側面に面するケーシング１０の長辺側の内側面１２とに、固定手段５として互いに嵌合する凸部５１ａ及び凹部５２ａのいずれか一方及び他方をそれぞれ設けている。本実施形態では、ソケットカバー４の固定片４３の側面に前記凹部５２ａに嵌入される凸部５１ａを設けると共に、ケーシング１０の長辺側の内側面１２に凹部５２ａ（貫通孔でもよい）を設けてある。前記凹部５２ａ及び凸部５１ａは、ソケットカバー４のケーシング１０への固定状態、すなわち、ソケットカバー４の固定片４３の外側の側面をケーシング１０の長辺側の内側面１２に面するようにケーシング１０内に挿入して、下覆い部４１をケーシング１０の下端と略同レベルに位置させた状態で、凸部５１ａが凹部５２ａ内に嵌入して嵌合状態となり、ソケットカバー４がケーシング１０に固定される。なお、ソケットカバー４をケーシング１０に固定するにあたっては、ソケットカバー４は薄い金属や合成樹脂等により形成されて可撓性を有していて、両方の固定片４３間の距離を短くする方向に撓ませてケーシング１０の長辺側の内側面１２間に挿入し、凸部５１ａを凹部５２ａ内に嵌入してソケットカバー４の復元力により固定状態を保持するものである。
【００２７】
そして本発明にあっては、固定手段５によるソケットカバー４の器具本体１への固定が外れた状態で、ソケットカバー４が下方に移動するのを抑止してソケットカバー４が落下するのを防止する落下防止手段６を設けるものである。落下防止手段６は、ソケットカバー４の固定片４３に下方に開口する切欠を形成して係止部６１とすると共に、ケーシング１０の長辺側の内側面１２から突出する突出部を形成して被係止部６２としてある。
【００２８】
この切欠からなる係止部６１及び突出部からなる被係止部６２にて構成される落下防止手段６は、ソケットカバー４をケーシング１０に固定手段５により固定した状態では、被係止部６２は下方に開口する係止部６１の切欠の下方に位置していて係止されないが、固定手段５による固定を外してソケットカバー４が下方に移動していくと、係止部６１の切欠内の上端縁が被係止部６２の上端部に載置される状態となってソケットカバー４がそれ以上に下方に移動するのが抑止され、ソケットカバー４の落下が防止される。
【００２９】
以上のような構成によれば、ソケットカバー４の器具本体１への固定を行うための固定手段５による固定が外れても、落下防止手段６によりソケットカバー４が下方に移動するのが抑止されて、ソケットカバー４の落下を防止することができるものである。
【００３０】
また、上述した凸部５１ａ及び凹部５２ａからなる固定手段５と、係止部６１及び被係止部６２からなる落下防止手段６とを設けたことで、簡単な構成で固定手段５と落下防止手段６とを構成することができるものである。
【００３１】
次に、本発明の第二の実施形態について図３及び図４に基づいて説明する。なお、第二の実施形態において第一の実施形態と同様の構成については同符号を付して説明を省略し、主に異なる部分について説明する。
【００３２】
第二の実施形態は、固定手段５として、ケーシング１０の長辺側の内側面１２に台形状のダボ５２ｂを突設すると共に、ソケットカバー４の固定片４３の側面に前記ダボ５２ｂが嵌入される開口５１ｂを形成してある。
【００３３】
落下防止手段６は、ケーシング１０の長辺側の内側面１２に突設した固定手段５としての前記ダボ５２ｂを落下防止手段６の被係止部６２として兼用すると共に、ソケットカバー４の固定片４３の側面の前記開口５１ｂの上方に別の開口を形成して係止部６１としてある。
【００３４】
この被係止部６２としてのダボ５２ｂ及び係止部６１としての開口からなる落下防止手段６は、ソケットカバー４をケーシング１０に固定手段５により固定した状態では、ダボ５２ｂは下側の固定手段５としての開口５１ｂに嵌入して固定されており、係止部６１としての開口はこの上方に位置していて係止されないが、固定手段５による固定を外してソケットカバー４が下方に移動していくと、ダボは５２ｂソケットカバー４の上側の係止部６１としての開口に嵌入して係止されて、ソケットカバー４がそれ以上に下方に移動するのが抑止され、ソケットカバー４の落下が防止される。
【００３５】
以上のような構成によれば、簡単な構成で固定手段５と落下防止手段６とを設けることができると共に、ダボ５２ｂを固定手段５及び落下防止手段６として兼用することができるものである。
【００３６】
次に、本発明の第三の実施形態について図５及び図６に基づいて説明する。なお、第三の実施形態において第一の実施形態と同様の構成については同符号を付して説明を省略し、主に異なる部分について説明する。
【００３７】
第三の実施形態は、固定手段５として、ソケットカバー４の固定片４３の上下方向中間部の側面を外側に屈曲させて屈曲部５１ｃを突出させると共に、ケーシング１０の長辺側の内側面１２に前記屈曲部５１ｃが嵌入される開口５２ｃを設けて構成してある。
【００３８】
落下防止手段６は、ソケットカバー４の固定片４３の上端部を外斜め下方に折り返して係止部６１を設けると共に、ケーシング１０の長辺側の内側面１２に形成した前記開口５２ｃを被係止部６２として兼用するものである。
【００３９】
この係止部６１及び被係止部６２としての開口５２ｃからなる落下防止手段６は、ソケットカバー４をケーシング１０に固定手段５により固定した状態では、ソケットカバー４の屈曲部５１ｃがケーシング１０の開口５２ｃに嵌入して固定されており、係止部６１は被係止部６２としての前記開口５２ｃの上方に位置していて係止されないが、固定手段５による固定を外してソケットカバー４が下方に移動していくと、屈曲部５１ｃの上方に位置するソケットカバー４の係止部６１がケーシング１０に形成した被係止部６２としての開口５２ｃに係止されて、ソケットカバー４がそれ以上に下方に移動するのが抑止され、ソケットカバー４の落下が防止される。
【００４０】
以上のような構成によれば、簡単な構成で固定手段５と落下防止手段６とを設けることができると共に、ケーシング１０に形成した開口５２ｃを固定手段５及び落下防止手段６として兼用することができるものである。
【００４１】
次に、第四の実施形態〜第六の実施形態の固定手段５及び落下防止手段６について順に説明する。第四の実施形態〜第六の実施形態においては、落下防止手段６として、ソケットカバー４の側面に線ばねＳＢの一部を固定し、前記線ばねＳＢのソケットカバー４への固定部から離れた部分に係止部６１を形成すると共に、ソケットカバー４を器具本体１に固定した状態で前記ソケットカバー４の側面が面する器具本体１の側面に被係止部６２を設けるものである。
【００４２】
まず本発明の第四の実施形態について図７及び図８に基づいて説明する。なお、第四の実施形態において第一の実施形態と同様の構成については同符号を付して説明を省略し、主に異なる部分について説明する。
【００４３】
第四の実施形態は、固定手段５として、線ばねＳＢを左右に膨らむ膨大部５１ｄが形成されるように曲げてソケットカバー４の固定片４３の外側の側面に固定すると共に、ケーシング１０の長辺側の内側面１２に前記ソケットカバー４の膨大部５１ｄを支持する支持部５２ｄを突設してある。
【００４４】
落下防止手段６は、ソケットカバー４の固定片４３に設けた線ばねＳＢの上端部を略ヘ字状に屈曲してその頂部を係止部６１とすると共に、ケーシング１０の長辺側の内側面１２から突出する突出部を形成して被係止部６２としてある。
【００４５】
この線ばねＳＢの上端部の略へ字状に屈曲した係止部６１及び突出部からなる被係止部６２で構成される落下防止手段６は、ソケットカバー４をケーシング１０に固定手段５により固定した状態では、線ばねＳＢの上端部の係止部６１はケーシング１０に形成した被係止部６２としての突出部の上方に位置していて係止されないが、固定手段５による固定を外してソケットカバー４が下方に移動していくと、係止部６１が被係止部６２に引っ掛かって係止されて、ソケットカバー４がそれ以上に下方に移動するのが抑止され、ソケットカバー４の落下が防止される。
【００４６】
以上のような構成によれば、簡単な構成で固定手段５と落下防止手段６とを設けることができるものである。
【００４７】
次に、本発明の第五の実施形態について図９及び図１０に基づいて説明する。なお、第五の実施形態において第一の実施形態と同様の構成については同符号を付して説明を省略し、主に異なる部分について説明する。
【００４８】
第五の実施形態は、固定手段５として、線ばねＳＢの一種であるキックばねＫＢを両先端が自由端となってそれぞれ斜め左右上方に延びるようにソケットカバー４の固定片４３の外側の側面に固定すると共に、前記固定片４３に固定した部分から先端までの途中で略ヘ字状に屈曲させてその略ヘ字状とした頂部を引っ掛け部５１ｅとし、ケーシング１０の長辺側の内側面１２に前記引っ掛け部５１ｅが引っ掛けられて支持する支持部５２ｅを突設して構成してある。
【００４９】
落下防止手段６は、ソケットカバー４の固定片４３に設けたキックばねＫＢの上端部を略ヘ字状に屈曲して係止部６１とすると共に、ケーシング１０の長辺側の内側面１２に突設した前記固定手段５としての支持部５２ｅを被係止部６２として兼用するものである。
【００５０】
このキックばねＫＢの上端部を略ヘ字状に屈曲した係止部６１及び被係止部６２としての支持部５２ｅからなる落下防止手段６は、ソケットカバー４をケーシング１０に固定手段５により固定した状態では、キックばねＫＢの上端部の係止部６１はケーシング１０に形成した支持部５２ｅからなる被係止部６２の上方に位置していて係止されないが、固定手段５による固定を外してソケットカバー４が下方に移動していくと、係止部６１が被係止部６２としての支持部５２ｅに引っ掛かって係止されて、ソケットカバー４がそれ以上に下方に移動するのが抑止され、ソケットカバー４の落下が防止される。
【００５１】
以上のような構成によれば、簡単な構成で固定手段５と落下防止手段６とを設けることができると共に、支持部５２ｅを固定手段５及び落下防止手段６として兼用することができるものである。
【００５２】
次に、本発明の第六の実施形態について図１１及び図１２に基づいて説明する。なお、第六の実施形態において第一の実施形態と同様の構成については同符号を付して説明を省略し、主に異なる部分について説明する。
【００５３】
第六の実施形態は、固定手段５として、ソケットカバー４の固定片４３の上下方向中間部の側面を外側に屈曲させて屈曲部５１ｆを突出させると共に、ケーシング１０の長辺側の内側面１２に前記屈曲部５１ｆが嵌入される開口５２ｆを設けてある。
【００５４】
落下防止手段６は、線ばねＳＢを両先端が自由端となってそれぞれ斜め左右上方に延びるようにソケットカバー４の固定片４３の側面に固定し、両先端をそれぞれ略へ字状に屈曲して係止部６１とすると共に、ケーシング１０の長辺側の内側面１２から突出する爪状の突出部を形成して被係止部６２としてある。
【００５５】
この線ばねＳＢの先端を屈曲した係止部６１及び被係止部６２としての突出部からなる落下防止手段６は、ソケットカバー４の屈曲部５１ｆをケーシング１０の開口５２ｆに嵌入してソケットカバー４をケーシング１０に固定した状態では、線ばねＳＢの上端部の係止部６１はケーシング１０に突設した被係止部６２の上方に位置していて係止されないが、固定手段５による固定を外してソケットカバー４が下方に移動していくと、係止部６１が被係止部６２に引っ掛かって係止されて、ソケットカバー４がそれ以上に下方に移動するのが抑止され、ソケットカバー４の落下が防止される。
【００５６】
以上のような構成によれば、簡単な構成で固定手段５と落下防止手段６とを設けることができる。
【００５７】
次に、本発明の第七の実施形態について図１３及び図１４に基づいて説明する。第七の実施形態は、落下防止手段６として、紐又はワイヤーからなる形状可変部材にてソケットカバー４と器具本体１とを連結するものである。なお、第七の実施形態において第一の実施形態と同様の構成については同符号を付して説明を省略し、主に異なる部分について説明する。
【００５８】
固定手段５として、ソケットカバー４の固定片４３の上端部に外斜め下方に突出する突出片５１ｇを突設すると共に、ケーシング１０の長辺側の内側面１２に前記突出片５１ｇが嵌入されて係止する開口５２ｇを設けて構成してある。
【００５９】
落下防止手段６は、紐やワイヤー等の形状可変部材からなるもので、形状可変部材の一端をソケットカバー４の固定片４３に接着やその他手段により連結固定する。そして、ケーシング１０の長辺側の内側面１２に上記固定手段５としての開口５２ｇとは別の開口を形成する。形状可変部材の他端は本体部ｅの幅よりも大径の膨大部ｄ（本実施形態では結び目）となっていて、また前記開口は、膨大部ｄが挿通可能な挿入口ａと、挿入口ａと連通して膨大部ｄ及び本体部ｅの径よりも小さい幅狭の隙間部ｂと、幅狭の隙間部ｂと連通して膨大部ｄより小径で且つ本体部ｅの径より大径の係止孔ｃと、を備えている。
【００６０】
この落下防止手段６は、形状可変部材の他端の膨大部ｄをケーシング１０の開口の挿入口ａに挿入し、本体部ｅを変形させて幅を狭くして幅狭の隙間部ｂを通し、本体部ｅが係止孔ｃに至って膨大部ｄが抜け止めとなることで係止される。
【００６１】
この形状可変部材からなる落下防止手段６は、ソケットカバー４をケーシング１０に固定手段５により固定した状態では形状可変部材は撓んでいて、固定手段５による固定を外してソケットカバー４が下方に移動していくと、形状可変部材が張ってソケットカバー４がそれ以上に下方に移動するのが抑止され、落下が防止される。
【００６２】
以上のような構成によれば、簡単な構成で落下防止手段６を設けることができる。
【００６３】
次に、本発明の第八の実施形態について図１５及び図１６に基づいて説明する。第八の実施形態は、落下防止手段６として、ソケットカバー４のソケット３１側方を覆う側覆い部４２の上端部に、内部にランプ２を挿通可能とすると共に上端の入り口の開口幅をランプ２の径よりも短くした切欠４２ａを形成するものである。なお、第八の実施形態において第一の実施形態と同様の構成については同符号を付して説明を省略し、主に異なる部分について説明する。
【００６４】
第八の実施形態は、固定手段５として、ソケットカバー４の固定片４３の上端部に外斜め下方に突出する突出片５１ｇを突設すると共に、ケーシング１０の長辺側の内側面１２に前記突出片５１ｇが嵌入されて係止する開口５２ｇを設けて構成してある。
【００６５】
落下防止手段６は、ソケットカバー４の側覆い部４２の切欠４２ａの上端の入り口の開口幅をランプ２の幅よりも若干小さくなるよう先狭まり状に形成して、側覆い部４２の前記ランプ２の幅よりも小さくなった部分を被係止部６２とし、ランプ２自体を係止部６１として利用するものである。
【００６６】
本実施形態では、ソケットカバー４の側覆い部４２の切欠４２ａ内にランプ２を挿入させ、ソケットカバー４の突出片５１ｇをケーシング１０の開口５２ｇに係止して固定した状態で、切欠４２ａの上端の被係止部６２はランプ２の上面部の係止部６１より上方に離れて位置している。そして、前記固定手段５の係止による固定を外してソケットカバー４が下方に移動していくと、ソケットカバー４の側覆い部４２の切欠４２ａの上端の被係止部６２がランプ２の上面部の係止部６１に引っ掛かって係止し、ソケットカバー４がそれ以上に下方に移動するのが抑止されて落下が防止される。なお、ソケットカバー４は、ランプ２を側覆い部４２の切欠４２ａ内に挿通させるにあたって、切欠４２ａの上端の開口幅が狭くなった部分を変形させて広げてランプ２を挿通させる。
【００６７】
以上のような構成によれば、簡単な構成で落下防止手段６を設けることができると共に、ランプ２自体を落下防止手段６として利用できて部材点数を減らすことができる。
【００６８】
次に、本発明の第九の実施形態について図１７に基づいて説明する。なお、第九の実施形態は第八の実施形態と略同様であり、異なる部分についてのみ説明する。
【００６９】
第九の実施形態では、落下防止手段６として、ソケットカバー４のソケット３１側方を覆う側覆い部４２に、内部にランプ２を挿通可能とする開口４２ｂを形成するものである。すなわち、ソケットカバー４の側覆い部４２の切欠４２ａの代わりに周囲が閉塞されてランプが挿通される開口４２ｂが形成してあり、この開口４２ｂ内にランプ２を挿通させることで落下防止手段６を構成してある。
【００７０】
本実施形態では、固定手段５の係止による固定を外してソケットカバー４が下方に移動していくと、ソケットカバー４の側覆い部４２の開口４２ｂの上端の被係止部６２がランプ２の上面部の係止部６１に引っ掛かって係止し、ソケットカバー４がそれ以上に下方に移動するのが抑止されて落下が防止される。なお、ソケットカバー４は、ランプ２をソケット３１に取り付ける前に側覆い部４２の開口４２ｂ内に挿通させておく。
【００７１】
以上のような構成によれば、簡単な構成で落下防止手段６を設けることができると共に、ランプ２自体を落下防止手段６として利用できて部材点数を減らすことができる。
【図面の簡単な説明】
【００７２】
【図１】本発明の第一の実施形態の要部の下方より見た一部切欠分解斜視図である。
【図２】同上におけるソケットカバーと器具本体との位置関係を説明する図であり、（ａ）は固定手段により固定された状態の説明図であり、（ｂ）は落下防止手段により移動が抑止された状態の説明図である。
【図３】本発明の第二の実施形態の要部の下方より見た一部切欠分解斜視図である。
【図４】同上におけるソケットカバーと器具本体との位置関係を説明する図であり、（ａ）は固定手段により固定された状態の説明図であり、（ｂ）は落下防止手段により移動が抑止された状態の説明図である。
【図５】本発明の第三の実施形態の要部の下方より見た一部切欠分解斜視図である。
【図６】同上におけるソケットカバーと器具本体との位置関係を説明する図であり、（ａ）は固定手段により固定された状態の説明図であり、（ｂ）は落下防止手段により移動が抑止された状態の説明図である。
【図７】本発明の第四の実施形態の要部の下方より見た一部切欠分解斜視図である。
【図８】同上におけるソケットカバーと器具本体との位置関係を説明する図であり、（ａ）は固定手段により固定された状態の説明図であり、（ｂ）は落下防止手段により移動が抑止された状態の説明図である。
【図９】本発明の第五の実施形態の要部の下方より見た一部切欠分解斜視図である。
【図１０】同上におけるソケットカバーと器具本体との位置関係を説明する図であり、（ａ）は固定手段により固定された状態の説明図であり、（ｂ）は落下防止手段により移動が抑止された状態の説明図である。
【図１１】本発明の第六の実施形態の要部の下方より見た一部切欠分解斜視図である。
【図１２】同上におけるソケットカバーと器具本体との位置関係を説明する図であり、（ａ）は固定手段により固定された状態の説明図であり、（ｂ）は落下防止手段により移動が抑止された状態の説明図である。
【図１３】本発明の第七の実施形態の要部の下方より見た一部切欠分解斜視図である。
【図１４】同上における形状可変部材の連結を説明する斜視図である。
【図１５】本発明の第八の実施形態の要部の下方より見た一部切欠分解斜視図である。
【図１６】同上においてソケットカバーと器具本体との位置関係を説明する図であり、（ａ）は固定手段により固定された状態の説明図であり、（ｂ）は落下防止手段により移動が抑止された状態の説明図である。
【図１７】本発明の第九の実施形態の要部の下方より見た一部切欠分解斜視図である。
【図１８】従来例の要部の下方より見た分解斜視図である。
【図１９】同上においてソケットカバーの取り付けを説明する斜視図である。
【符号の説明】
【００７３】
１    器具本体
２    ランプ
３１  ソケット
４    ソケットカバー
５    固定手段
６    落下防止手段
【図１】
0005060217.tif 000002
【図２】
0005060217.tif 000003
【図３】
0005060217.tif 000004
【図４】
0005060217.tif 000005
【図５】
0005060217.tif 000006
【図６】
0005060217.tif 000007
【図７】
0005060217.tif 000008
【図８】
0005060217.tif 000009
【図９】
0005060217.tif 000010
【図１０】
0005060217.tif 000011
【図１１】
0005060217.tif 000012
【図１２】
0005060217.tif 000013
【図１３】
0005060217.tif 000014
【図１４】
0005060217.tif 000015
【図１５】
0005060217.tif 000016
【図１６】
0005060217.tif 000017
【図１７】
0005060217.tif 000018
【図１８】
0005060217.tif 000019
【図１９】
0005060217.tif 000020